(57)【要約】【課題】表示器とスピーカーによりマルチメディア内容を再生できるメディア再生方法と装置を提供する。【解決手段】メディア再生方法は、まず、複数のマルチメディアファイルを提供し、各マルチメディアファイルは、ビデオファイル、ティッカーファイル又はイメージファイルの内一つである。続いて、再生スクリプトを作成し、これにより、各マルチメディアファイルの再生時間帯、表示位置及び表示サイズを定義する。最後に、この再生スクリプトを実行し、それらのマルチメディアファイルの再生時間帯、表示位置及び表示サイズに基づいてそれらのマルチメディアファイルを表示器により出力させる。【選択図】図２
2009171546.tif 000002
【特許請求の範囲】
【請求項１】
表示器とスピーカーによりマルチメディア内容を再生するメディア再生方法であって、
複数のマルチメディアファイルを提供するステップと、
前記複数のマルチメディアファイルの各々の再生時間帯、表示位置及び表示サイズを定義することを含む、再生スクリプトの作成ステップと、
前記複数のマルチメディアファイルの各々の前記再生時間帯、前記表示位置及び前記表示サイズに基づいて前記複数のマルチメディアファイルを画面信号にアレンジし、前記表示器により出力させることを含む、前記再生スクリプトの実行ステップと、
を有する、メディア再生方法。
【請求項２】
前記複数のマルチメディアファイルは、少なくとも一つのビデオファイル、少なくとも一つのティッカーファイル、少なくとも一つのテキストファイル、又は、少なくとも一つのイメージファイルを含む、
請求項１に記載のメディア再生方法。
【請求項３】
前記再生スクリプトの作成ステップは、前記ティッカーファイルの再生方向及び再生速度を定義することをさらに含む、
請求項２に記載のメディア再生方法。
【請求項４】
前記複数のマルチメディアファイルは、入力インターフェースにより受信される外部ビデオファイルをさらに含み、
前記再生スクリプトの作成ステップは、前記外部ビデオファイルの再生時間帯、表示位置及び表示サイズを定義することをさらに含む、
請求項１に記載のメディア再生方法。
【請求項５】
前記メディア再生方法は、少なくとも一つのオーディオファイルを提供するステップをさらに含み、
前記再生スクリプトの作成ステップは、前記オーディオファイルの再生時間帯及び音量を定義することをさらに含み、
前記再生スクリプトの実行ステップは、前記オーディオファイルの前記再生時間帯及び前記音量に基づいて前記オーディオファイルを音声ファイルにアレンジし、前記スピーカーにより出力させることを含む、
請求項１に記載のメディア再生方法。
【請求項６】
前記再生スクリプトの作成ステップは、さらに、
少なくとも一つのイメージレイヤー及び前記イメージレイヤーの時間順序を定義することであって、前記イメージレイヤーは、少なくとも一つのウィンドウを含み、前記イメージレイヤーの前記時間順序は、前記イメージレイヤーの再生時間帯を定義することと、
前記ウィンドウの表示位置、表示サイズ及び時間順序を定義することであって、前記ウィンドウが再生する前記マルチメディアファイルの前記表示位置、前記表示サイズ及び前記再生時間帯は、前記ウィンドウの前記表示位置、前記表示サイズ及び前記時間順序により定義されることと、
オーディオの時間順序を定義することであって、前記オーディオファイルの前記再生時間帯及び前記音量は、前記オーディオの前記時間順序により定義されることと、
を含む、
請求項５に記載のメディア再生方法。
【請求項７】
マルチメディア内容を再生するためのメディア再生装置であって、
複数のマルチメディアファイルを提供する記憶装置と、
再生スクリプトを作成するプロセス管理器であって、前記再生スクリプトは、前記複数のマルチメディアファイルの各々の再生時間帯、表示位置及び表示サイズを含む、プロセス管理器と、
表示器と、
前記表示器、前記記憶装置及び前記プロセス管理器と接続される処理モジュールであって、前記処理モジュールは、前記再生スクリプトを実行するときに、前記複数のマルチメディアファイルの各々の前記再生時間帯、前記表示位置及び前記表示サイズに基づいて前記複数のマルチメディアファイルを画面信号にアレンジし、前記表示器により出力させる、処理モジュールと、
を有する、メディア再生装置。
【請求項８】
前記複数のマルチメディアファイルは、少なくとも一つのビデオファイル、少なくとも一つのティッカーファイル、少なくとも一つのテキストファイル、又は、少なくとも一つのイメージファイルを含む、
請求項７に記載のメディア再生装置。
【請求項９】
前記再生スクリプトは、前記ティッカーファイルの再生方向及び再生速度をさらに含む、
請求項８に記載のメディア再生装置。
【請求項１０】
前記処理モジュールは、外部ビデオファイルを受信するための入力インターフェースをさらに含み、
前記再生スクリプトは、前記外部ビデオファイルの再生時間帯、表示位置及び表示サイズをさらに含む、
請求項７に記載のメディア再生装置。
【請求項１１】
前記メディア再生装置は、前記処理モジュールに接続されるスピーカーをさらに含み、
前記記憶装置は、少なくとも一つのオーディオファイルをさらに提供し、
前記再生スクリプトは、前記オーディオファイルの再生時間帯及び音量をさらに含み、
前記処理モジュールは、前記再生スクリプトを実行するときに、さらに、前記オーディオファイルの前記再生時間帯及び前記音量に基づいて前記オーディオファイルを音声ファイルにアレンジし、前記スピーカーにより出力させる、
請求項７に記載のメディア再生装置。
【請求項１２】
前記再生スクリプトは、さらに、
少なくとも一つのイメージレイヤー及び前記イメージレイヤーの時間順序であって、前記イメージレイヤーは、少なくとも一つのウィンドウを含み、前記イメージレイヤーの前記時間順序は、前記イメージレイヤーの再生時間帯を定義する、少なくとも一つのイメージレイヤー及び前記イメージレイヤーの時間順序と、
前記ウィンドウの表示位置、表示サイズ及び時間順序であって、前記ウィンドウが再生する前記マルチメディアファイルの前記表示位置、前記表示サイズ及び前記再生時間帯は、前記ウィンドウの前記表示位置、前記表示サイズ及び前記時間順序により定義される、前記ウィンドウの表示位置、表示サイズ及び時間順序と、
オーディオの時間順序であって、前記オーディオファイルの前記再生時間帯及び前記音量は、前記オーディオの前記時間順序により定義される、オーディオの時間順序と、
を含む、
請求項１１に記載のメディア再生装置。
【発明の詳細な説明】
【技術分野】
【０００１】
本発明は、デジタル電子看板に関し、特に、再生スクリプトに基づいてマルチメディア内容を再生する方法に関する。
【背景技術】
【０００２】
図１は、従来のデジタル電子看板１００を示すものである。デジタル電子看板１００は、主に、処理モジュール１０２、表示器１０４及びスピーカー１０６を含む。処理モジュール１０２は、ビデオファイル#Video、イメージファイル#Image、ティッカーファイル#Ticker及びオーディオファイル#Audioなどを含む様々なマルチメディアファイルを受信することができる。また、処理モジュール１０２は、ＮＴＳＣ、ＤＶＢ、ＲＦＩＮなどの様々な規格のテレビ信号#Inputを受信するための入力インターフェースを具備しても良い。それらのマルチメディアファイルが処理モジュール１０２により処理された後に生成された画面#Dispが表示器１０４により出力され、また、オーディオファイル#Audioがスピーカー１０６により出力される。従来では、各マルチメディアファイルは、サプライヤー（図示せず）の定義に従って、表示器１０４の異なる位置において異なるサイズで表示される。これにより、デジタル電子看板１００は、同時に、複数のマルチメディアファイルを所定の順序に従って再生することができる。
【０００３】
しかし、従来の構造の欠点は、表示されたい位置とサイズを含む各マルチメディアファイルの再生パラメーターがこのマルチメディアファイルを伝送すると同時に提供されることにある。よって、表示器１０４に現れる画面が、データの持続的な伝送による結果である。サプライヤーの動作が停止すると、デジタル電子看板１００は、いかなる再生動作も自動的に行うことができなくなる。言い換えると、従来のデジタル電子看板１００は、レイアウト及びプロセス管理の機能を有しないのみならず、全てのマルチメディアファイルの再生パラメーターを定義するための統合的なインターフェースも有しないので、サプライヤーにより伝送されてきた内容を忠実に表示させることしかできない。
【発明の開示】
【発明が解決しようとする課題】
【０００４】
本発明の目的は、表示器とスピーカーによりマルチメディア内容を再生できるメディア再生方法を提供することにある。
【課題を解決するための手段】
【０００５】
本発明の他の目的と利点は、本発明に開示された技術の特徴により更に知られることができる。
【０００６】
前述した一又は部分又は全部の目的或いは他の目的を達成するために、本発明の実施例に係る方法は、複数のマルチメディアファイルを提供するステップと、各マルチメディアファイルの再生時間帯、表示位置及び表示サイズを定義することを含む再生スクリプトの作成ステップと、各マルチメディアファイルの再生時間帯、表示位置及び表示サイズに基づいてそれらのマルチメディアファイルを画面信号にアレンジし、表示器により出力させることを含む再生スクリプトの実行ステップとを含む。
【０００７】
一実施例において、少なくとも、オーディオファイルを提供するステップをさらに含む。ここで、再生スクリプトの作成ステップは、オーディオファイルの再生時間帯と音量を定義することをさらに含み、また、再生スクリプトの実行ステップは、オーディオファイルの再生時間帯及び音量に基づいて、オーディオファイルを音声ファイルにアレンジし、スピーカーにより出力させることをさらに含む。また、それらのマルチメディアファイルは、入力インターフェースにより受信される外部ビデオファイルをさらに含み、また、再生スクリプトの作成ステップは、外部ビデオファイルの再生時間帯、表示位置及び表示サイズを定義することをさらに含む。再生スクリプトの作成ステップは、ティッカーの再生方向及び再生速度を定義することを含む。
【０００８】
一実施例において、再生スクリプトの作成ステップは、さらに、少なくとも一つのイメージレイヤー及びこのイメージレイヤーの時間順序を定義することであって、イメージレイヤーは、少なくとも一つのウィンドウを含み、イメージレイヤーの時間順序は、イメージレイヤーの再生時間帯を定義することと、ウィンドウの表示位置、表示サイズ及びウィンドウの時間順序を定義することであって、ウィンドウに再生されるマルチメディアファイルの表示位置、表示サイズ及び再生時間帯は、ウィンドウの表示位置、表示サイズ及びウィンドウの時間順序により定義されることと、オーディオの時間順序を定義することであって、オーディオファイルの再生時間帯及び音量は、オーディオの時間順序により定義されることと、を含む。
【０００９】
また、本発明の他の実施例は、前述したステップを実行してマルチメディア内容を再生するためのメディア再生装置を提供する。それらのマルチメディアファイルは、記憶装置に記憶される。プロセス管理器が再生スクリプトを定義且つ提供するために用いられる。処理モジュールが表示器、記憶装置及びプロセス管理器と接続され、再生スクリプトを実行するために用いられ、即ち、それらのマルチメディアファイルの再生時間帯、表示位置及び表示サイズに基づいて、それらのマルチメディアファイルを画面信号にアレンジし、表示器により出力させる。
【発明の効果】
【００１０】
本発明は、再生スクリプトに基づいてマルチメディア内容を再生する方法及び装置を提供する。
【発明を実施するための最良の形態】
【００１１】
次に、添付した図面を参照しながら、本発明の好適な実施形態を詳細に説明し、これにより、本発明の前述の技術と他の技術、特徴及び利点が、より容易に理解できる。
【００１２】
なお、次の各実施例の説明は、添付した図面を参照して行われたものであり、本発明の実施可能な特定の実施例を例示するために用いられる。また、本発明の実施に言及した方向の用語、例えば、上、下、前、後、左、右などは、添付した図面の方向を参考するためのみである。よって、以下に使用された方向の用語は、説明のために用いられ、本発明を制限するためのものでない。
【００１３】
図２は、本発明の実施例に係る電子看板２００を示すものである。従来の表示器１０４とスピーカー１０６の他に、このデジタル電子看板２００は、主に、処理モジュール２１０、記憶装置２２０及びプロセス管理器２３０を含む。記憶装置２２０は、前述したイメージファイル#Image、ティッカーファイル#Ticker、ビデオファイル#Video、オーディオファイル#Audio又はテキストファイル#Textなどを含むマルチメディアファイル#filesを記憶するために用いられる。処理モジュール２１０は、テレビ信号#Inputを受信可能な入力インターフェース２１２をさらに含む。テレビ信号#Inputは、マルチメディアファイルの一種と見なされても良く、ただ、性質が異なる。記憶装置２２０に記憶されるマルチメディアファイル#filesに対し、このテレビ信号#Inputは、リアルタイムに入力される内容に属する。本発明の実施例の記憶装置２２０は、メモリカード、光ディスクまたはインターネットメディアであっても良い。プロセス管理器２３０は、処理モジュール２１０と接続され、それらのマルチメディアファイルを再生するための制御及び管理の根拠としての再生スクリプト#scriptを提供するために用いられる。再生スクリプト#scriptは、少なくとも、各マルチメディアファイルの再生時間帯、表示位置及び表示サイズを定義する。さらに言えば、処理モジュール２１０のようなハードウェア的な補助を組み合わせれば、再生スクリプト#scriptは、フェードイン・フェードアウト又はスクロールなどの様々な特効を定義しても良く、即ち、本実施例に限定されない。処理モジュール２１０は、再生スクリプトを実行するときに、再生時間帯、表示位置及び表示サイズを基づいて、それらのマルチメディアファイルを画面#Dispにアレンジし、表示器１０４により出力させる。同様に、オーディオファイル#Audioの一部は、スピーカー１０６により出力される。
【００１４】
一般的に言えば、処理モジュール２１０のシステム構造については、数多くの従来技術を有するが、処理モジュール２１０には、処理器２０２と記憶体２０４が含まれても良い。処理器２０２は、プロセス管理器２３０が提供した再生スクリプト#scriptを実行し、マルチメディアファイル#filesに対して個別に処理を行っても良い。ビデオデコーダー２０６は、それらのマルチメディアファイル#filesのうちビデオ部分をデコードし、BT.656フォーマットのような画面#Dispを生成することができる。オーディオデコーダー２０８は、様々なフォーマットのオーディオファイル#Audio、例えば、I2Sデータを処理することができる。処理モジュール２１０は、良く見られる読み出し専用メモリー（ROM）又はリアルタイムクロック（RTC）をさらに含んでも良く、即ち、図２に示すものに限定されず、ここでは、その説明を省略する。
【００１５】
図３は、イメージレイヤーのレイアウトの実施例であり、再生スクリプト#scriptの定義方式を空間的に説明するためのものである。この再生スクリプト#scriptは、イメージレイヤー３００における複数のウィンドウのレイアウト方式を定義することができる。ウィンドウのレイアウト方式は、各ウィンドウの位置及びサイズにより決定される。例えば、図３のイメージレイヤー３００は、第一ウィンドウ３０２、第二ウィンドウ３０４、第三ウィンドウ３０６及び第四ウィンドウ３０８を含み、各ウィンドウの位置は、座標（x1,y1）ないし(x4,y4)で表示される。各ウィンドウは、一つ又は複数のマルチメディアファイルの内容を表示するために用いられ、また、各マルチメディアファイルの開始及び終了時間も、再生スクリプト#scriptにより定義されても良い。さらに言えば、イメージレイヤー３００のレイアウト方式は、図３に示すものに限定されない。再生スクリプト#scriptの定義により、複数の異なるレイアウトのイメージレイヤー３００を動的な方式で切り替えることを設定し、各イメージレイヤー３００を所定の順序に従って表示器１０４に所定の時間表示させることができる。また、オーディオファイル#Audioの再生については、バックグラウンドで同時に行われても良い。また、再生スクリプト#scriptの定義により、異なるオーディオファイル#Audioを異なる時点に再生させることができる。一般的に言えば、オーディオファイル#Audioは、通常、ビデオファイル#Video又はテレビ信号#Inputと同期的である。例えば、第二ウィンドウ３０４において再生されるテレビ信号#Inputは、リアルタイムのニュース又は球技試合であっても良く、この場合、テレビ信号#Inputに含まれるオーディオ部分は、オーディオファイル#Audioにアレンジされてスピーカー１０６により出力される。
【００１６】
また、その他の再生パラメーターも、再生スクリプト#scriptにより定義されることができる。例えば、再生パラメーターは、オーディオファイル#Audioの音量、又は、第三ウィンドウ３０６におけるティッカー#Tickerのスクロール方向及び速度を含む。第一ウィンドウ３０２における異なるイメージファイル#Imageを切り替えるときは、フェードイン・フェードアウトの効果を有しても良く、ひいては、スクロールバーの効果を有しても良い。処理モジュール２１０のハードウェアが許容できさえすれば、様々な特効が容易に再生スクリプト#scriptにより適時に発揮され得て、従来の構造より、より柔軟性のある再生効果を持たせることを達成できる。
【００１７】
図４は、本発明の実施例に係る時間順序図であり、複数のマルチメディアファイルを再生する方法を時間的に説明するためのものである。ここで、イメージレイヤーの時間順序W300により各イメージレイヤーの時間帯を定義する。例えば、時間帯TLは、一つのイメージレイヤー３００の再生持続時間を示し、時間帯TLの後に、再生スクリプト#scriptには、他の時間帯TL′において再生される他のイメージレイヤーが含まれても良く、また、その他は、これによって類推することができる。時間帯TLにおいて、各ウィンドウは、各自の時間順序に従って内容の再生を同時に行う。例えば、第一ウィンドウの時間順序W302は、第一ウィンドウ３０２が時間帯TL1に第一イメージファイルを再生し、時間帯TL2に第二イメージファイルを再生し、また、時間帯TL3に第三イメージファイルを再生することを定義する。第二ウィンドウ３０４の時間順序W304は、第二ウィンドウが時間帯TV1に第一イメージファイルを再生し、時間帯TV2に第二イメージファイルを再生することを定義する。同様に、第三ウィンドウの時間順序W306は、第三ウィンドウ３０６が時間帯TT1、TT2、TT3にそれぞれ異なる字幕を表示すること、即ち、異なるテキストファイルを再生することを定義する。字幕は、重複に表示されることもできる。例えば、時間帯TT1において、字幕が底にスクロールされて時間がまだTT2に達していない場合、同一の字幕は、頭から再び表示される。第四ウィンドウの時間順序W308は、第四ウィンドウ３０８がテレビ信号を再生することを定義し、この場合、入力されるのは、リアルタイムのテレビ信号#Inputであり、通常、切り替えの問題を有しないので、時間帯TAVは、時間帯TLである。しかし、さらに言えば、本発明の実施例の処理モジュール２１０は、二つ以上の異なるテレビ信号#Inputを同時に受信できるなら、第四ウィンドウ３０８は、第四ウィンドウの時間順序W308の定義により、異なる時間帯に異なるテレビ信号#Inputを再生することもできる。
【００１８】
まとめて言えば、図３と図４では、再生スクリプト#scriptの可能な設計方式を説明した。プロセス管理器２３０は、ソフトウェアによるマンマシンインタフェースであり、再生スクリプト#scriptそのものは、定義が完成された後に、処理器２０２に提供されても良く、或いは、設計が完成された後に、ファイル（例えば、XMLファイル）として記憶装置２２０に記憶されても良い。プロセス管理器２３０と再生スクリプト#scriptは如何な形式であっても、処理器２０２は、再生スクリプト#scriptを読み取って実行するだけで、複数のマルチメディアファイル#filesを、再生されたいオーディオファイル#Audioと画面#Dispにアレンジし、また、表示器１０４とスピーカー１０６により出力させることができる。
【００１９】
図５は、本発明の実施例の再生方法のフローチャートである。ステップ５０１において、まず、再生されたい複数のマルチメディアファイルを記憶装置２２０に記憶させる。続いて、ステップ５０３において、プロセス管理器２３０により再生スクリプトを作成し、これは、各マルチメディアファイルの再生時間帯、表示位置及び表示サイズを定義することを含み、これにより、再生スクリプト#scriptには、それらのマルチメディアファイルの再生時間帯、表示位置及び表示サイズが定義されるようになる。続いて、ステップ５０５において、処理モジュール２１０によりそれらのマルチメディアファイルと再生スクリプト#scriptを記憶体２０４にロードさせる。ステップ５０７において、処理器２０２は、再生スクリプトを実行し、再生スクリプト#scriptに定義されるそれらのマルチメディアファイルの再生時間帯、表示位置及び表示サイズに基づいて、それらのマルチメディアファイルを、再生されたいオーディオファイル#Audioと画面#Dispにアレンジし、また、表示器１０４とスピーカー１０６により出力させる。
【００２０】
本発明の実施例のデジタル電子看板２００は、嵌め込め式システムの構造に従って作られることができる。表示器１０４の部分は、大型看板に必要な要素を含んでも良く、ここでは、その説明を省略する。表示器１０４が画面#Dispを表示する方式は、再生スクリプト#scriptを柔軟に設計することにより実現され得る。また、再生の効果及び利便性も、従来技術よりは遥かに良い。
【００２１】
本発明が前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、特許文献の検索を助けるためのみのものであり、本発明の権利範囲を限定するものでない。
【図面の簡単な説明】
【００２２】
【図１】従来のデジタル電子看板１００を示す図である。
【図２】本発明の実施例に係るデジタル電子看板２００を示す図である。
【図３】イメージレイヤー３００のレーアウトの実施例を示す図である。
【図４】本発明の実施例の時間順序図である。
【図５】本発明の実施例の再生方法のフローチャートである。
【符号の説明】
【００２３】
１００  メディア再生装置
１０２  処理モジュール
１０４  表示器
１０６  スピーカー
２００  メディア再生装置
２０２  処理器
２０４  記憶体
２０６  ビデオデコーダー
２０８  オーディオデコーダー
２１０  処理モジュール
２１２  入力インターフェース
２２０  記憶装置
２３０  プロセス管理器
３００  イメージレイヤー
３０２  第一ウィンドウ
３０４  第二ウィンドウ
３０６  第三ウィンドウ
３０８  第四ウィンドウ
【図１】
2009171546.tif 000003
【図２】
2009171546.tif 000004
【図３】
2009171546.tif 000005
【図４】
2009171546.tif 000006
【図５】
2009171546.tif 000007